(57)【要約】【課題】作業効率が向上するとともに、無駄にごみを出さないラジオＩＣメモリー（例えばＥＰＲＯＭやＥＥＰＲＯＭなどの半導体メモリー）またはフラッシュメモリー等の記憶素子を装着した血液バッグを提供すること。【解決手段】ラジオＩＣメモリーまたはフラッシュメモリーまたはこれらと同等の機能を有する記憶素子からなる情報記憶媒体（９１）を装着した血液バッグ（７０）。前記情報記憶媒体（９１）としての前記ラジオＩＣメモリーは、ＥＰＲＯＭまたはＥＥＰＲＯＭからなる半導体メモリーである。【選択図】図１
2008055181.tif 000002
【特許請求の範囲】
【請求項１】
ラジオＩＣメモリーまたはフラッシュメモリーまたはこれらと同等の機能を有する記憶素子からなる情報記憶媒体（９１）を装着したことを特徴とする血液バッグ（７０）。
【請求項２】
前記情報記憶媒体（９１）としての前記ラジオＩＣメモリーは、ＥＰＲＯＭまたはＥＥＰＲＯＭからなる半導体メモリーであることを特徴とする請求項１に記載の血液バッグ（７０）。
【請求項３】
前記情報記憶媒体（９１）を封入したシールラベル（９２）を貼付したことを特徴とする請求項１または請求項２に血液バッグ（７０）。
【発明の詳細な説明】
【技術分野】
【０００１】
本発明の血液バッグは、ＲＦＩＤ（Radio Frequency
Identification）非接触型（個人）認証システムに利用可能な血液バッグであって、電気的接触を行わずに、半導体メモリーやフラッシュメモリー等の記憶素子に対して無線による情報の書き込み／読み取りを行うことのできる血液バッグである。
本発明の血液バッグは、例えば以下の個人識別装置とともに使用される。
個人識別装置はコンピュータが個人の生体組織（またはその一部）をその個人の特徴として捉え、個人の氏名、年齢などの属性と共にした情報を照合対象物（例えば本発明の血液バッグやカルテなど）に貼付する情報記憶媒体として、電気的接触部が無く、前記情報の書き込み／読み取りを無線にて行うものである。
さらに駆動電力も情報を書き込み／読み取りを行う機器（例えばリーダ／ライタ）により書き込み／読み取り作業時に例えば電磁誘導等によって非接触で供給を行うことができるラジオＩＣメモリー（例えばＥＰＲＯＭやＥＥＰＲＯＭなどの半導体メモリー）やフラッシュメモリー等の記憶素子を採用するものである。なお本発明は半導体メモリーやフラッシュメモリー等の記憶素子と同等の機能を有する記憶素子であれば何でも利用することができる。
【背景技術】
【０００２】
特許文献１、特許文献２に記載の個人認証装置では、照合対象物（血液バッグ）に個人属性及び指紋情報を含む個人情報を添付する手段として二次元バーコードを使用している。二次元バーコードは通常（一次元）のバーコードよりも情報の積載量に優れ、かつ印刷されるサイズも小さくてすむという利点がある。
しかし、印刷するたびにシールラベルを消費し、裏紙などのごみが残る問題がある。また、印刷するシールラベルは二次元バーコードの印刷状態が水滴や熱などによって劣化しないように、照合対象物（血液バッグ）が保存される環境を考慮し、耐水性、耐熱性に優れる素材を使用したり、印刷を行いラベルを貼ったその上から更にＰＥ（ポリエチレン）などの透明なフィルムを防適材として貼る必要があった。そこで本発明者らは以上の課題を解決するために鋭意検討を重ねた結果次の発明に到達した。
【０００３】
【特許文献１】特開平８−７１１４８号公報（特許請求の範囲、図３）
【特許文献２】特開平９−７０３９８号公報（［０００７］、［０００９］、図６）
【発明の開示】
【発明が解決しようとする課題】
【０００４】
本発明が解決しようとする問題点は、従来の二次元バーコードは、
（１）印刷するたびにシールラベルを消費し、裏紙などのごみが残る問題がある。
（２）二次元バーコードの印刷状態が劣化しないように、耐水性、耐熱性に優れる素材を使用したり、印刷を行いラベルを貼ったその上から更にＰＥ（ポリエチレン）などの透明なフィルムを防適材として貼る必要がある等である。
【課題を解決するための手段】
【０００５】
［１］本発明は、ラジオＩＣメモリーまたはフラッシュメモリーまたはこれらと同等の機能を有する記憶素子からなる情報記憶媒体（９１）を装着した血液バッグ（７０）を提供する。
［２］本発明は、前記情報記憶媒体（９１）としての前記ラジオＩＣメモリーは、ＥＰＲＯＭまたはＥＥＰＲＯＭからなる半導体メモリーである［１］に記載の血液バッグ（７０）を提供する。
［３］本発明は、前記情報記憶媒体（９１）を封入したシールラベル（９２）を貼付した［１］または［２］に記載の血液バッグ（７０）を提供する。
【発明の効果】
【０００６】
（１）ラジオＩＣメモリー（例えばＥＰＲＯＭやＥＥＰＲＯＭなどの半導体メモリー）またはフラッシュメモリー等の記憶素子は、情報の入出力が二次元バーコードラベルを用いたシステムよりも情報の書き込み／読み取り時間が短く、操作方法も簡単であるため、作業効率が向上する。
（２）ラジオＩＣメモリー（例えばＥＰＲＯＭやＥＥＰＲＯＭなどの半導体メモリー）またはフラッシュメモリー等の記憶素子は、情報の書き換えを行うことができるため、場合によってはリユースすることも可能である。したがって無駄にごみを出さなくなる。
【発明を実施するための最良の形態】
【０００７】
［血液バッグ７０］
本発明の血液バッグ７０は、ラジオＩＣメモリーまたはフラッシュメモリーまたはこれらと同等の機能を有する記憶素子からなる情報記憶媒体９１を装着したものである。
情報記憶媒体９１としてのラジオＩＣメモリーは、例えばＥＰＲＯＭまたはＥＥＰＲＯＭ等からなる半導体メモリーが使用される。
これらの情報記憶媒体９１は、例えばＰＥＴ（ポリエステル）等のプラスチック素材からなるシールラベル等に封入され、血液バッグ７０に貼付される。
【０００８】
［本発明の血液バッグとともに使用する個人識別装置］
個人識別装置は、個人の指紋の読み取り手段Ａと、前記指紋情報及び／又は個人情報等の属性からなる情報の入力手段Ｂと、情報記憶媒体に前記情報を書き込む手段Ｃと、情報記憶媒体或いは情報記憶媒体を貼り付けた照合対象物そのものに個人情報を文字及び／又は印（例えば顔写真など形状や色を目で見分けることができる情報等）で印字する手段Ｄと、照合対象物に貼り付けた情報記憶媒体の前記情報を読み取る手段Ｅと、患者個人の指紋と照合対象物に貼り付けた情報記憶媒体の前記情報を照合する手段Ｆと、前記情報の照合結果の印字手段Ｇと、前記手段ＡからＧの制御手段Ｈから構成される。さらに前記手段ＡからＨの作業記録管理手段Ｉを有する。
【０００９】
前記情報の入力手段Ｂと前記手段ＡからＦの制御手段Ｈとは装置本体１１であり、個人の指紋の読み取り手段Ａ及び、該情報と照合対象物に貼り付けた情報記憶媒体の指紋情報を照合する手段Ｆが指紋照合ユニット２１であり、前記情報を情報記憶媒体に書き込む手段Ｃ及び、情報記憶媒体から前記情報を読み取る手段Ｅがリーダ／ライタ８１であり、前記情報を印字する手段Ｄ及び、前記指紋の照合結果の印字手段Ｇがマーカー４１である。
【００１０】
図１は、個人識別装置１の一例を示す概略図である。個人識別装置１は、装置本体１１と指紋照合ユニット２１と、前記装置本体１１に接続されるマーカー４１と、前記装置本体１１と作業管理用データベース５１を接続する本体接続器具３１と、リーダ／ライタ８１と、前記作業管理用データベース５１とから構成される。前記装置本体１１は、制御部１２、表示部１３、記憶部１４、バッテリー（二次電池）１５、通信用部材１６を内蔵する。前記表示部１３は、例えば作業者の指ないし棒状の治具（スタイラスペン等）による命令の入力を可能とした液晶タッチパネルを採用し、該液晶画面上に例えば指紋情報の読み取り、情報記憶媒体９１への書き込み、情報の印字、情報記憶媒体９１の読み取り、読み取った指紋情報同士の照合、および結果の印字などの命令を記したボタンまたはツールバーや、装置および作業者の入力ミスによるエラー状態を表示し、指ないし棒状の治具を使用して、作業者の命令および確認を受け取ることができる。また音を発生させるブザーを内蔵して、作業者に対して作業の完了を通知したり、警告音と共に装置によるエラー或いは作業者のミスを指摘させることができる。前記記憶部１４は、本体１１内で動作するシステム（装置本体１１と、指紋照合ユニット２１と、マーカー４１と、リーダ／ライタ８１の動作、を制御するアプリケーションソフト）を記憶させている。
【００１１】
また、システムが行った作業全て（入力ミスなども含む）を履歴情報（作業記録）として記憶させておく。記憶部１４は例えばフラッシュＲＯＭ等の不揮発メモリーを採用することができる。前記バッテリー１５により、本体装置１１を無線で作動させることができ、本体装置１１を小型化し携帯可能にすることができる。バッテリー１５として、例えばリチウムイオン充電式等の二次電池を採用することができる。また本体装置１１に着脱可能でかつ交換可能な電池も採用することができる。後述するバッテリー２５、４５、８５もバッテリー１５と同様のバッテリーを採用することができる。
前記通信用部材１６として例えば赤外線通信部材（ＩｒＤＡ）を内蔵することにより無線でマーカー４１との通信や別の装置本体１１および作業管理データベース５１との通信を行うことができる。また通常のケーブルＣや本体接続器具３１を採用することにより有線で通信を行うことができる。後述する通信用部材４６、５６、８６も前記通信用部材１６と同様の通信用部材を採用することができる。また通信コネクタ１７を配置することにより本体接続器具３１の通信コネクタ３７と接続することができる。
【００１２】
前記指紋照合ユニット２１は、装置本体１１からの命令によって動作する。指紋登録時には個人の指紋の読み取りを行い、読み取った指紋情報を暗号化し、装置本体１１に送信する。照合時には装置本体１１が読み取った情報記憶媒体９１に保存されていた個人の指紋情報を装置本体１１から受け取り、暗号を解読し、新たに読み取った個人の指紋情報と照合させる。その後照合した結果を装置本体１１に返信する。バッテリー２５（二次電池）を内蔵してこれにより作動し、小型で携行することができる。また通信コネクタ２７を配置することにより本体１１とリーダ／ライタ８１の通信コネクタ１７、８７と接続することができる。
前記本体接続器具３１は、前記装置本体１１をしっかりと収容できる形状に形成されている。（例えば装置本体１１の収納溝を有しており、該収納溝に装置本体１１の通信コネクタ１７を接続する通信コネクタ３７を配置している。）またケーブルＣで接続された作業管理用データベース５１へ本体１１に記憶されている作業記録を送ったり（情報通信）、本体１１のバッテリー１５（二次電池）に充電を行うことができる。
【００１３】
前記マーカー４１は、前記装置本体１１と専用のケーブルＣ或いは本体接続器具３１を使用した有線接続、または内蔵した通信用部材４６により光通信、電波通信などの無線によって情報を受け取り、個人情報、作業日時等の属性となる情報を文字及び／又は印（例えば顔写真など形状や色を目で見分けることができる情報等）を照合対象物に貼り付けた情報記憶媒体９１或いは照合対象物そのものに印字したり、照合を行った結果およびその作業日時を記した文字等の印字を行う。またバッテリー４５（二次電池）を内蔵してこれにより作動し、小型で携行することができる。例えばインクジェットプリンタ等のマーキング機器が使用される。またＡＣ電源により動作する機種も使用することができる。
前記リーダ／ライタ８１は、通信用部材８６と、通信コネクタ８７とバッテリー８５（二次電池）を有し、通信コネクタ８７により装置本体１１から指紋情報及び個人情報などを受け取り、通信用部材８６により情報記憶媒体９１に対して前記情報の書き込みを行うことができる。また、通信用部材８６により、情報記憶媒体９１から前記情報を読み取り、通信コネクタ８７により本体１１に読み取った前記情報を送ることができる。バッテリー８５（二次電池）により作動し、小型で携行することができる。
【００１４】
前記作業管理用データベース５１は、例えば汎用のパソコンが使用され、ハードディスクなどの情報記憶媒体などにより、装置本体１１内蔵の記憶部１４に記憶されている装置本体１１が行った全ての作業記録を、本体接続器具３１や内蔵した通信用部材５６により無線通信を通して受け取り管理する。また患者データの入力装置６３（例えば、キーボード、磁気カードリーダ、コードスキャナ、ＩＣリーダ等）を接続して、患者属性情報を入力する。また患者ファイルの作成と作業者の管理も行うことができる。
またラベルプリンタ６１を接続して、作業者ラベル（名前、登録番号）を印刷することができる。
また複数の装置本体１１を用いている場合は、装置本体１１に番号を割り付け、どの装置本体１１で行った作業かを確認できるようにする。前記データベースではその記録を参照し、プリンタ６２では、情報記憶媒体９１に含まれていた一部の患者情報及び作業日時などの属性情報、また文字により記した書式、装置本体１１の作業履歴とその詳細な内容を印刷することもできる。また輸血管理システム施設内ネットワーク６４に接続して、関係者による閲覧も可能である。
【００１５】
以下に本発明の血液バッグと個人識別装置の使用方法の一例について説明する。
使用例１：個人情報の登録方法（図２参照）
（１）指紋照合ユニット２１によって個人の指紋を読み取る。
（２）読み取った指紋情報７１を装置本体１１に送る。
（３）個人の属性（識別番号、氏名など）の情報と、登録を行った指の情報（例えば『右手人差し指』という値）を装置本体１１に入力し、指紋情報７１と共にリーダ／ライタ８１を使用して、シールラベル９２に封入された情報記憶媒体９１に書き込む。
（４）情報記憶媒体９１を封入したシールラベル９２を血液バッグ７０に貼付する。
（５）同時に、情報記憶媒体９１を封入したシールラベル９２に、作業を行った日時や登録を行った指の情報や個人情報を示す文字或いはしるしをマーカー４１によって印字する。
【００１６】
使用例２：照合方法（図３参照）
（１）一つ或いは複数の血液バッグ７０に貼付された情報記憶媒体９１（ラジオＩＣメモリーまたはフラッシュメモリー）からリーダ／ライタ８１を使用して情報を読み取る。
（２）読み取られた情報から指紋情報７１を採取し、指紋照合ユニット２１に転送する。また、複数の情報記憶媒体９１から情報を読み出した場合、それらの情報内容が全て同一個人のものであることを装置本体１１内で確認するため照合を行う。結果、全ての情報内容が一致していることが確認されると、読み出された情報の中から一つ選抜し、指紋情報７１を採取して指紋照合ユニット２１に転送する。
（３）読み出された情報から、個人情報及を表示部１３に表示する。また、登録を行った指の情報も同時に表示することで、照合に使用する指を指示する。
（４）指紋照合ユニット２１に個人の指紋を入力し、装置本体１１より転送された指紋情報７１と照合する。
（５）照合結果は、装置本体１１に転送され、表示部１３にその結果およびその時点での日時を表示する。また一致と不一致またはエラーといった結果の違いは装置本体１１に内蔵されているブザーが発する音で聞き分けることもできる。
（６）照合結果は、その作業を行った時点の日時と共にマーカー４１によって印字することができる。
【図面の簡単な説明】
【００１７】
【図１】本発明の血液バッグとともに使用する個人識別装置の概略図
【図２】本発明の血液バッグとともに使用する個人識別装置の使用例を示す概略図
【図３】本発明の血液バッグとともに使用する個人識別装置の使用例を示す概略図
【符号の説明】
【００１８】
１  個人識別装置
１１  本体
１２  コードスキャナ
１３  表示部
１４  記憶部
１５  バッテリー
１６  通信用部材
１７  通信コネクタ
２１  指紋照合ユニット
２５  バッテリー
２７  通信コネクタ
３１  本体接続器具
３７  通信コネクタ
４１  マーカー
４５  バッテリー
４６  通信用部材
５１  作業管理用データベース
５６  通信用部材
６１  ラベルプリンタ
６２  プリンタ
６３  入力装置
６４  ネットワーク
７０  血液バッグ
７１  個人の指紋
７３  照合結果ラベル
７４  作業者ラベル
Ｃ  ケーブル
８１  リーダ／ライタ
８５  バッテリー
８６  通信用部材
８７  通信コネクタ
９１  情報記憶媒体
９２  シールラベル
【図１】
2008055181.tif 000003
【図２】
2008055181.tif 000004
【図３】
2008055181.tif 000005